(57)【要約】【課題】装飾品を皺にならないようにパネル本体の貼付面に綺麗に貼り付ける。【解決手段】パネル本体５の貼付面９とその外側の非貼付面１１との間に立ち上がり壁１３を設けて貼付面９を非貼付面１１よりも立ち上がり壁１３を境に下方に位置させ、かつ貼付面９の立ち上がり壁１３との交差部に溝部１５を形成する。貼付面９に界面活性剤１９を塗布した状態で、装飾品としてのモール７を粘着材１７が貼付面９側に向くようにして貼付面９に押し付けることにより、モール７と貼付面９との間からはみ出した余分な界面活性剤１９を溝部１５に収容し、モール７と貼付面９との間の界面活性剤１９を乾燥蒸発させることによりモール７を粘着材１７を介して貼付面９に貼り付ける。【選択図】図４
2008006851.tif 000002
【特許請求の範囲】
【請求項１】
可撓性材からなる薄肉状の装飾品がその裏面に設けられた接着材又は粘着材を介してパネル本体の貼付面に貼り付けられてなる装飾品貼付パネルであって、
上記パネル本体の貼付面とその外側の非貼付面との間に立ち上がり壁が設けられて上記貼付面が非貼付面よりも上記立ち上がり壁を境に下方に位置し、かつ上記貼付面の立ち上がり壁との交差部又はその近傍に溝部が形成され、
上記貼付面に界面活性剤を塗布した状態で、上記装飾品を接着材又は粘着材が貼付面側に向くようにして該貼付面に押し付けることにより、装飾品と貼付面との間からはみ出した余分な界面活性剤を上記溝部に収容し、装飾品と貼付面との間の界面活性剤が乾燥蒸発することにより装飾品が接着材又は粘着材を介して貼付面に貼り付けられていることを特徴とする装飾品貼付パネル。
【請求項２】
請求項１に記載の装飾品貼付パネルにおいて、
装飾品の端縁部が溝部の開口の少なくとも一部を覆っていることを特徴とする装飾品貼付パネル。
【発明の詳細な説明】
【技術分野】
【０００１】
この発明は、装飾品貼付パネルの改良に関し、特にパネル本体の貼付面に界面活性剤を塗布して可撓性材からなる薄肉状の装飾品の貼り直し作業をし易くする場合の対策に関するものである。
【背景技術】
【０００２】
例えば車両用内装品等にデザイン上の要求等から、特許文献１に開示されているような樹脂製モールをその裏面に設けられた粘着材を介して樹脂製パネルのパネル本体の貼付面に貼り付けることが一般に行われている。
【０００３】
この場合、貼り付け位置の目安にするためや見栄え向上等の観点から、図７に示すように、パネル本体ａの貼付面ｂとその外側の非貼付面ｃとの間に立ち上がり壁ｄを設けて上記貼付面ｂを非貼付面ｃよりも上記立ち上がり壁ｄを境に下方に位置させることが行われる。
【０００４】
一方、モールを一旦パネル本体の貼付面に貼り付けてしまうと、位置ずれが生じている場合に貼り直し作業がし辛くなるため、上述した図７の構造のパネル本体ａの貼付面ｂに予め界面活性剤ｅを塗布しておくことでモールの貼り直し作業をし易くすることも行われる。
【特許文献１】実開平５−３９９４３号公報（段落０００７欄、図２）
【発明の開示】
【発明が解決しようとする課題】
【０００５】
しかし、上述の如く立ち上がり壁ｄを有するパネル本体ａの貼付面ｂに界面活性剤ｅを塗布した状態で、図８に示すように、モールｆを粘着材ｇが貼付面ｂ側に向くようにして該貼付面ｂに押し付けると、界面活性剤ｅがモールｆと貼付面ｂとの間からはみ出して貼付面ｂの立ち上がり壁ｄとの交差部に溜まり、モールｆから手を離すと押付力が解除されて上記はみ出した余分な界面活性剤ｅがモールｆと貼付面ｂとの間に逆戻りしてモールｆが貼付面ｂから浮き上がってしまう。この状態で、モールｆと貼付面ｂとの間の界面活性剤ｅが乾燥蒸発すると、モールｆと貼付面ｂとの間に大きな隙間ができる。この大きな隙間をなくそうとしてモールｆを貼付面ｂに押し付けると、部分的に付かない箇所ができて皺になり、モールｆを貼付面ｂに綺麗に貼り付けることができなくなるという不具合が起こり得る。
【０００６】
この発明はかかる点に鑑みてなされたものであり、その目的とするところは、モール等のように可撓性材からなる薄肉状の装飾品を皺にならないようにパネル本体の貼付面に綺麗に貼り付けることである。
【課題を解決するための手段】
【０００７】
上記の目的を達成するため、この発明は、装飾品と貼付面との間からはみ出した余分な界面活性剤が逆戻りしないようにしたことを特徴とする。
【０００８】
具体的には、この発明は、可撓性材からなる薄肉状の装飾品がその裏面に設けられた接着材又は粘着材を介してパネル本体の貼付面に貼り付けられてなる装飾品貼付パネルを対象とし、次のような解決手段を講じた。
【０００９】
すなわち、請求項１に記載の発明は、上記パネル本体の貼付面とその外側の非貼付面との間に立ち上がり壁が設けられて上記貼付面が非貼付面よりも上記立ち上がり壁を境に下方に位置し、かつ上記貼付面の立ち上がり壁との交差部又はその近傍に溝部が形成され、上記貼付面に界面活性剤を塗布した状態で、上記装飾品を接着材又は粘着材が貼付面側に向くようにして該貼付面に押し付けることにより、装飾品と貼付面との間からはみ出した余分な界面活性剤を上記溝部に収容し、装飾品と貼付面との間の界面活性剤が乾燥蒸発することにより装飾品が接着材又は粘着材を介して貼付面に貼り付けられていることを特徴とする。
【００１０】
請求項２に記載の発明は、請求項１に記載の発明において、装飾品の端縁部が溝部の開口の少なくとも一部を覆っていることを特徴とする。
【発明の効果】
【００１１】
請求項１に係る発明によれば、パネル本体の貼付面に界面活性剤を塗布した状態で、装飾品を接着材又は粘着材が貼付面側に向くようにして該貼付面に押し付けると、界面活性剤が装飾品と貼付面との間からはみ出して貼付面の立ち上がり壁との交差部又はその近傍に形成された溝部に収容されるので、装飾品から手を離して押付力が解除されても、上記はみ出した余分な界面活性剤が装飾品と貼付面との間に逆戻りせず、逆戻りに起因する装飾品の浮き上がり現象が解消される。したがって、その後に装飾品と貼付面との間の界面活性剤が乾燥蒸発しても、装飾品と貼付面との間には大きな隙間ができず、この大きな隙間をなくすために装飾品を貼付面に押し付けずに済むので、この押付けによる部分的な非貼付箇所ができず、装飾品を皺にならないようにパネル本体の貼付面に綺麗に貼り付けることができる。
【００１２】
請求項２に係る発明によれば、装飾品と貼付面との間の余分な界面活性剤が装飾品の端縁部を伝わって確実に溝部に導入され、装飾品への皺発生を確実になくすことができるとともに、溝部の開口が装飾品の端縁部で部分的に覆われて外部から見え難くなるか、あるいは溝部の開口全体が装飾品の端縁部で完全に覆い隠されて外部から見えず、見栄えを良くすることができる。
【発明を実施するための最良の形態】
【００１３】
以下、この発明の実施形態について図面に基づいて説明する。
【００１４】
（実施形態１）
図２は自動車の樹脂製インストルメントパネル１を示し、該インストルメントパネル１のセンターパネル３をこの発明の実施形態１に係る装飾品貼付パネルとしている。上記センターパネル３のパネル本体５正面の車幅方向両端寄りには、上下方向に延びる２個の可撓性材からなる薄肉帯状の装飾品としての樹脂製モール７が貼り付けられている。図２ではこれらモール７に斜線を付して明示している。
【００１５】
上記パネル本体５は、図１に拡大して示すように、上記モール７が貼り付けられる貼付面９とその外側の非貼付面１１とを備え、上記貼付面９と非貼付面１１との間に立ち上がり壁１３が形成され、上記貼付面９が非貼付面１１よりも上記立ち上がり壁１３を境に下方に位置し、かつ上記貼付面９の立ち上がり壁１３との交差部に溝部１５が形成されている。
【００１６】
一方、上記モール７の裏面には粘着材１７が所定の厚みに設けられ、該モール７が上記粘着材１７を介してパネル本体５の貼付面９に貼り付けられている。なお、粘着材１７の代わりに接着材を用いてもよい。
【００１７】
この貼付けに際しては、図３に拡大して示すように、モール７の貼り直し作業をし易くするためにパネル本体５の貼付面９に予め界面活性剤１９を塗布しておく。
【００１８】
そして、上記貼付面９に界面活性剤１９を塗布した状態で、図４に拡大して示すように、上記モール７を粘着材１７が貼付面９側に向くようにして該貼付面９に押し付ける。これにより、モール７と貼付面９との間から余分な界面活性剤１９がはみ出し、このはみ出した余分な界面活性剤１９が上記溝部１５に収容される。
【００１９】
その後、上記モール７と貼付面９との間の界面活性剤１９が乾燥蒸発することによりモール７が粘着材１７を介して貼付面９に貼り付けられる（図１参照）。
【００２０】
このように、モール７をパネル本体５の貼付面９に押し付けた際にその間からはみ出した界面活性剤１９を溝部１５に収容するようにしているので、モールから手を離して押付力を解除しても、上記はみ出した余分な界面活性剤１９がモール７と貼付面９との間に逆戻りすることがなく、逆戻りに起因するモール７の浮き上がり現象を解消することができる。したがって、その後にモール７と貼付面９との間の界面活性剤１９が乾燥蒸発しても、モール７と貼付面９との間には大きな隙間ができず、この大きな隙間をなくすためにモール７を貼付面９に押し付けずに済むので、この押付けによる部分的な非貼付箇所ができず、モール７を皺にならないようにパネル本体５の貼付面９に綺麗に貼り付けることができる。
【００２１】
（実施形態２）
図５はこの発明の実施形態２に係る装飾品貼付パネルとしてのセンターパネル３を示す。この実施形態２では、装飾品としての樹脂製モール７の端縁部が溝部１５の開口の略半分を覆っている点が実施形態１と異なっている。そのほかは実施形態１と同様に構成されているので、同一構成箇所には同一の符号を付してその説明を省略する。
【００２２】
したがって、この実施形態２では、実施形態１と同様の効果を奏することができることに加え、モール７と貼付面９との間の余分な界面活性剤１９をモール７の端縁部を伝わらせて確実に溝部１５に導入することができ、モール７への皺発生を確実になくすことができるとともに、溝部１５の開口をモール７の端縁部で部分的に覆って外部から見え難くして見栄えを良くすることができる。
【００２３】
（実施形態３）
図６はこの発明の実施形態３に係る装飾品貼付パネルとしてのセンターパネル３を示す。この実施形態３では、貼付面９の立ち上がり壁１３との交差部近傍に溝部１５が形成され、かつ装飾品としての樹脂製モール７の端縁部が溝部１５の開口全体を覆い隠している点が実施形態１，２と異なっている。そのほかは実施形態１と同様に構成されているので、同一構成箇所には同一の符号を付してその説明を省略する。
【００２４】
したがって、この実施形態３では、実施形態１と同様の効果を奏することができることに加え、実施形態２と同様に、モール７と貼付面９との間の余分な界面活性剤１９をモール７の端縁部を伝わらせて確実に溝部１５に導入することができ、モール７への皺発生を確実になくすことができるとともに、溝部１５の開口全体をモール７の端縁部で完全に覆い隠して外部から見えないようにし、見栄えをさらに良くすることができる。
【００２５】
なお、上記の各実施形態では、装飾品貼付パネルが自動車のインストルメントパネル１のセンターパネル３であり、かつ可撓性材からなる薄肉帯状の装飾品が樹脂製モール７である場合を例示したが、シールやテープ等の装飾品であってもよく、またこれらに限らない。
【産業上の利用可能性】
【００２６】
この発明は、パネル本体の貼付面に界面活性剤を塗布してモール等のように可撓性材からなる薄肉状の装飾品の貼り直し作業をし易くした装飾品貼付パネルについて有用である。
【図面の簡単な説明】
【００２７】
【図１】図１のＡ−Ａ線における断面図である。
【図２】実施形態１に係る装飾品貼付パネルとしてのセンターパネルが適用されたインストルメントパネルの正面図である。
【図３】実施形態１においてパネル本体の貼付面に界面活性剤を塗布した状態を示す要部拡大断面図である。
【図４】実施形態１においてモールと貼付面との間からはみ出した余分な界面活性剤が溝部に収容された状態を示す要部拡大断面図である。
【図５】実施形態２の図１相当図である。
【図６】実施形態３の図１相当図である。
【図７】従来例の図３相当図である。
【図８】従来例の図４相当図である。
【符号の説明】
【００２８】
３    センターパネル（モール貼付パネル）
５    パネル本体
７    モール（装飾品）
９    貼付面
１１  非貼付面
１３  立ち上がり壁
１５  溝部
１７  粘着材
１９  界面活性剤
【図１】
2008006851.tif 000003
【図２】
2008006851.tif 000004
【図３】
2008006851.tif 000005
【図４】
2008006851.tif 000006
【図５】
2008006851.tif 000007
【図６】
2008006851.tif 000008
【図７】
2008006851.tif 000009
【図８】
2008006851.tif 000010